(57)【特許請求の範囲】
【請求項１】
監視領域の警備状態に関する情報、保安状態に関する情報、監視区域内を撮影した画像の少なくとも１つを送信する監視端末装置と、監視端末装置からの受信信号に基づいて文字、記号、図、画像の少なくとも１つにより作成される画像ページを管理する画像サーバ装置と、前記画像サーバ装置にアクセスして画像ページを表示する携帯端末装置と、を具備して構成される監視システムにおいて、
前記携帯端末装置は、操作に応じてパスワード要求信号を送信し、前記携帯端末装置からのパスワード要求信号を受信すると、前記監視端末装置から監視領域の警備状態に関する情報、保安状態に関する情報、監視区域内を撮影した画像の少なくとも１つを取得して前記画像サーバの画像ページを更新するとともに、前記携帯端末装置が前記画像サーバ装置にアクセスして画像ページを表示する際に必要なパスワードを発行し、発行したパスワードを前記携帯端末装置に送信する監視管理装置を備えたことを特徴とする監視システム。
【請求項２】
前記監視管理装置は、発行したパスワードを前記携帯端末装置に電子メールにより送信することを特徴とする請求項１に記載の監視システム。
【発明の詳細な説明】
【０００１】
【発明の属する技術分野】
本発明は、異常検知センサ、非常押ボタンおよび監視カメラ等が設置された建物等の監視対象領域において、異常検知センサにより異常事態が検知された際や非常押ボタンが操作された際、またはユーザが要求した際に、監視カメラによって撮影された画像や異常の内容等をユーザが携帯する携帯端末装置上で確認できる監視システムに関するものである。
【０００２】
【従来の技術】
従来より、建物等の監視対象に、不法侵入、火災、ガス漏れ等を検知する異常検知センサを設置し、異常検知センサが上記各種異常事態の発生を検知した際に、その監視対象の住人等が携帯端末上でその通報を受けることができる監視システムが知られている。この監視システムでは、通報を受けた者がその異常事態に対する処置方法（警備会社への出動要請等）を任意に決定するようにしている。
【０００３】
また、上記監視システムにおいて、住人等が携帯端末上で監視対象の警備状態（警備中であるか警備解除中であるか）や保安状態（窓や扉の開閉状態、異常状態の有無、設備機器の故障の有無等）を文字や記号あるいは図により表示し、監視対象の状況を確認することができるようにしている。
【０００４】
さらに、上記監視システムにおいて、監視対象に監視カメラを設け、上記異常検知センサが異常検知した際に、監視カメラによって撮影された画像を携帯端末上に表示可能にすることで、通報を受けた者が監視対象の状況を確認することができ、これによりより適切な処置方法の判断をおこなうことができるようにした監視システムが知られている。
【０００５】
特に、監視区域の警備状態や保安状態あるいは画像の表示を可能とした監視システムでは、監視対象領域内の様子を確認する際、悪意の第三者による監視対象領域内の覗き見防止やプライバシー保護等の理由から、画像を見るためにパスワードの入力を条件としている。監視システムにおいて、このようなパスワード入力による表示は、例えば、特開２０００−４０１９６号、特開２０００−３６０８８号、特開平１０−４０４８５号に開示されている。
【０００６】
【発明が解決しようとする課題】
しかしながら、上記従来の監視システムでは、パスワードが固定であるため、一度第三者にパスワードが盗まれてしまうと、その後はその第三者が常に監視対象領域内の様子を見ることができてしまうという問題があった。
【０００７】
また、このような問題を解決するため、定期的に暗証番号を変更する等の対策も考えられるが、この作業を住人等の本監視システムの利用者が定期的におこなうには手間がかかるという問題がある。
【０００８】
本発明は、上記課題を解決するためになされたものであり、監視対象の関係者が保持する端末装置上にて監視対象領域での異常の発生を監視することができる監視システムにおいて、監視区域の警備状態や保安状態および画像を確認するためのパスワードやＵＲＬ（Ｕｎｉｆｏｒｍ  Ｒｅｓｏｕｒｃｅ  Ｌｏｃａｔｏｒ）を必要に応じて自動的に変更することで、安全性の向上とプライバシー保護を図った監視システムを提供することを目的とする。
【０００９】
【課題を解決するための手段】
上述した課題を解決し、目的を達成するため、請求項１にかかる監視システムにあっては、監視領域の警備状態に関する情報、保安状態に関する情報、監視区域内を撮影した画像の少なくとも１つを送信する監視端末装置と、監視端末装置からの受信信号に基づいて文字、記号、図、画像の少なくとも１つにより作成される画像ページを管理する画像サーバ装置と、前記画像サーバ装置にアクセスして画像ページを表示する携帯端末装置と、を具備して構成される監視システムにおいて、前記携帯端末装置は、操作に応じてパスワード要求信号を送信し、 前記携帯端末装置からのパスワード要求信号を受信すると、前記監視端末装置から監視領域の警備状態に関する情報、保安状態に関する情報、監視区域内を撮影した画像の少なくとも１つを取得して前記画像サーバの画像ページを更新するとともに、前記携帯端末装置が前記画像サーバ装置にアクセスして画像ページを表示する際に必要なパスワードを発行し、発行したパスワードを前記携帯端末装置に送信する監視管理装置を備えたことを特徴とする。
【００１０】
この発明によれば、携帯端末装置が、監視領域の画像を画像サーバ装置にアクセスして確認しようとする際、監視管理装置に対して、パスワードの発行を要求し、監視管理装置が、この要求に対して、画像サーバ装置において管理される所定のアドレスの画像ページを、監視領域の最新の画像の画像ページに更新するとともに、上記画像ページにアクセスするためのユーザ認証に必要なパスワードを発行して携帯端末装置に送信するので、ユーザは、必要に応じてそのパスワードを用いて監視領域の画像を確認することができる。
【００１３】
また、請求項２にかかる監視システムにあっては、請求項１に記載の発明において、前記監視管理装置は、発行したパスワードを前記携帯端末装置に電子メールにより送信することを特徴とする。
【００１４】
この発明によれば、監視管理装置が、画像ページにアクセスするためのユーザ認証に必要なパスワードを発行して、そのパスワードを電子メールにより携帯端末装置に送信するので、ユーザは、電子メールによりパスワードを取得して、そのパスワードを用いて監視領域の画像を確認することができる。
【００２１】
【発明の実施の形態】
以下に、本発明にかかる監視システムの実施の形態を図面に基づいて詳細に説明する。なお、この実施の形態によりこの発明が限定されるものではない。
【００２２】
（実施の形態１）
まず、実施の形態１にかかる監視システムについて説明する。実施の形態１にかかる監視システムは、ユーザが携帯する携帯端末装置からの要請により、画像サーバに管理されている監視対象の画像を見るためのパスワードを発行し、発行したパスワードを予め決められた携帯端末装置にメールで通知することを特徴としている。
【００２３】
図１は、実施の形態１にかかる監視システムの概略構成を示すブロック図である。図１に示す監視システムは、建物全体、ビルの一室、個人宅等の監視したい一定の領域である監視対象１００と、監視対象１００の関係者（住人、従業員あるいは警備会社の対処員等）が所有する携帯端末装置２００と、携帯端末装置２００からの画像配信要求を受け付けるとともに、監視対象１００の最新の画像を取得し、パスワードを発行する監視管理装置３００と、を備えて構成される。
【００２４】
また、実施の形態１にかかる監視システムは、監視対象の画像を保持して管理するとともに、その画像をＷｅｂページとして提供する画像サーバ４００と、携帯端末装置２００との電子メール（以下、Ｅ−ｍａｉｌと称する。）の送受信を管理制御するＥ−ｍａｉｌサーバ５００と、パスワードを発行するパスワード発行装置６００と、を備え、これら画像サーバ４００、Ｅ−ｍａｉｌサーバ５００およびパスワード発行装置６００は、上記監視管理装置３００に接続されている。また、携帯端末装置２００、画像サーバ４００およびＥ−ｍａｉｌサーバ５００は、インターネット８０にも接続されている。
【００２５】
図１に示すように、監視対象１００には、検知センサ１２１、非常押ボタン１２３、監視カメラ１２５、設定部１２７および監視端末装置１１０が設置される。ここで、検知センサ１２１は、火災による煙を感知する煙感知器、火災による熱を感知する熱感知器、侵入者を検知するためのマグネットセンサや赤外線検知センサ等の種々のセンサであり、火災や侵入者などの異常事態を検知した際に異常検知信号を出力する。
【００２６】
また、非常押ボタン１２３は、監視対象１００において急病人が発生した場合や監視対象１００に強盗が押し入るなどの異常事態発生を報知するために設けられ、操作されると異常報知信号を出力する。監視カメラ１２５は、監視対象１００の異常事態発生時における状況を確認するために設けられ、監視対象１００を撮像して画像データを出力する。
【００２７】
設定部１２７は、カードや暗証番号を利用した操作によって、監視端末装置１１０の監視状態と監視解除状態を設定するための手段であり、通常、監視対象１００に人がいる場合は監視解除状態に設定され、不在となる場合は監視状態に設定される。
【００２８】
監視端末装置１１０は、専用回線や公衆回線を介して監視管理装置３００と接続されており、上記した監視カメラ１２５からの画像データを監視管理装置３００に送信する。なお、この監視端末１１０は、検知センサ１２１や非常押ボタン１２３によって異常が検知された際に、その通報を携帯端末装置２００に発することもできる。
【００２９】
また、図１に示すように、携帯端末装置２００は、通信部２１０、操作部２２２、通話部２２４および表示部２２６を備えて構成され、ここでは携帯電話を想定している。ここで、通信部２１０は、インターネット８０を介して画像サーバ４００やＥ−ｍａｉｌサーバ５００と通信し、また無線回線やその他公衆回線を介して監視管理装置３００と通信するための通信インタフェースである。操作部２２２は、ユーザによってダイヤルやその他の応答操作、または携帯端末装置２００に付属している種々の機能を発動させるための複数のボタンやスイッチであり、特に、画像を表示するための各種操作（画像表示／非表示、スクロール、画像の切換えなど）をおこなうための手段である。通話部２２４は、通常の電話による送受話をおこなうためのスピーカやマイクである。そして、表示部２２６は、画像サーバ４００にアクセスして取得した画像データを表示する液晶ディスプレイ等の表示手段である。
【００３０】
以下に、実施の形態１にかかる監視システムの動作について説明する。図２は、実施の形態１にかかる監視システムの動作を示すフローチャートである。まず、監視対象１００の関係者（住人等）であるユーザが携帯端末装置２００を用いて、監視管理装置３００へとパスワードの発行を要求するパスワード発行要求信号を送信する（ステップＳ１０１）。このパスワード発行要求信号には、少なくとも当該携帯端末装置２００を識別するための端末コードが含まれている。なお、携帯端末装置２００と監視管理装置３００との間の通信は、特に限定しないが、例えば無線回線を介しておこなう。
【００３１】
監視管理装置３００は、監視端末装置１１０に対応する携帯端末装置２００の端末コードとＵＲＬ（Ｕｎｉｆｏｒｍ  Ｒｅｓｏｕｒｃｅ  Ｌｏｃａｔｏｒ）を予め記憶しており、携帯端末装置２００からパスワード発行要求信号を受けると、当該パスワード発行要求信号に含まれる端末コードに対応する監視端末装置１１０から、監視カメラ１２５によって撮影された最新の画像を取得する（ステップＳ２０１）。なお、監視管理装置３００と監視端末装置１１０との間の通信は、特に限定しないが、例えば公衆の電話回線を介しておこなう。
【００３２】
つづいて、監視管理装置３００は、取得した画像から画像ページを作成し（ステップＳ２０２）、画像サーバ４００に対し、当該監視端末装置１１０のＵＲＬで特定されるＷｅｂ用の画像ページを、新たに作成した画像ページに更新することを要求する画像ページ更新要求信号を送信する（ステップＳ２０３）。なお、この画像ページ更新要求信号には、新たに作成した画像ページの情報も含まれている。画像サーバ４００は、監視管理装置３００から画像ページ更新要求信号を受けると、上記所定のＵＲＬで特定される画像ページを、新たに作成された画像ページに更新する（ステップＳ３０１）。
【００３３】
一方で、監視管理装置３００は、パスワード発行装置６００に対し、パスワードの発行を要求するパスワード発行要求信号を送信する（ステップＳ２０４）。
パスワード発行装置６００は、監視管理装置３００からパスワード発行要求信号を受けると、任意のパスワードを生成して発行し（ステップＳ４０１）、発行したパスワードを監視管理装置３００に送信する（ステップＳ４０２）。
【００３４】
監視管理装置３００は、パスワード発行装置６００からパスワードを受けると、画像サーバ４００に、上記監視端末装置１１０の画像ページを見るためのパスワードを新たに発行されたパスワードに変更するためのパスワード変更要求信号を送信する。画像サーバ４００は、監視管理装置３００からパスワード変更要求信号を受けると、上記監視端末装置１１０の画像ページを見るためのパスワードを上記パスワード変更要求信号に含まれる新たなパスワードに変更する。
【００３５】
また、監視管理装置３００は、パスワード発行装置６００からパスワードを受けると、そのパスワードを記載したＥ−ｍａｉｌを上記携帯端末装置２００宛に送信する。このＥ−ｍａｉｌの送信は、実際には、監視管理装置３００がＥ−ｍａｉｌサーバ５００に対してＥ−ｍａｉｌ送信要求を依頼し（ステップＳ２０５）、Ｅ−ｍａｉｌサーバ５００によって携帯端末装置２００へと配信される（ステップＳ５０１）。
【００３６】
ユーザは、携帯端末装置２００において、上記Ｅ−ｍａｉｌの受信を確認すると、所定のＷｅｂページのＵＲＬ、この場合、監視対象１００の画像を確認することができる画像ページのＵＲＬを入力することで（ステップＳ１０２）、その画像ページを管理している画像サーバ４００へと、上記画像ページの配信を要求する画像ページ配信要求信号を送信する（ステップＳ１０３）。
【００３７】
画像サーバ４００は、携帯端末装置２００から、画像ページ配信要求信号を受けると、そのユーザが画像ページを取得するのに適正であるか否かの認証をおこなうために、パスワード入力画面を返信する（ステップＳ３０２）。携帯端末装置２００が、画像サーバ４００からパスワード入力画面を取得すると、ユーザは、そのパスワード入力画面の入力フォームに従ってパスワードを入力する（ステップＳ１０４）。特に、このパスワードは、上記ステップＳ５０１において送信されたＥ−ｍａｉｌに記載されたパスワードである。
【００３８】
携帯端末装置２００は、入力されたパスワードを画像サーバ４００へと送信し（ステップＳ１０５）、画像サーバ４００は、このパスワードが正当なものであるか否かを照合する（ステップＳ３０３）。このパスワードの照合は、パスワード入力画面に定義づけられたＣＧＩ（Ｃｏｍｍｏｎ  Ｇａｔｅ  Ｉｎｔｅｒｆａｃｅ）等のプログラムによっておこなわれ、特に、上記ステップＳ４０１においてパスワード発行装置が発行したパスワードを照合対象としている。
【００３９】
画像サーバ４００は、上記パスワードが正当なものであると判断すると、上記ステップＳ３０１において更新した画像ページを携帯端末装置２００に送信する（ステップＳ３０４）。携帯端末装置２００は、この画像ページを表示する（ステップＳ１０６）。これにより、ユーザは監視対象１００の状況を確認することができる。
【００４０】
なお、セキュリティ性を向上させるため、画像サーバ４００は、携帯端末装置２００が画像ページを受信した後に、ユーザによって画像確認の通知が送信された際、または画像ページを更新してから一定時間経過した際に、その画像ページの画像を消去するようにしてもよい。また、携帯端末装置２００が同じ画像の画像ページを一定の回数受信した際に、その画像ページを消去してもよい。さらに、一度、ユーザ端末２００から正当なアクセスがあった場合には、そのパスワードを無効にすることで、よりセキュリティの向上を図ることができる。
【００４１】
以上に説明したとおり、実施の形態１にかかる監視システムによれば、携帯端末装置２００が、監視対象１００の画像を画像サーバにアクセスして確認しようとする際のパスワード認証において、まず、監視管理装置３００に対して、パスワードの発行を要求し、監視管理装置３００は、この要求に対して、画像サーバ４００が管理する所定のＵＲＬの画像ページを、監視対象１００の最新の画像の画像ページに更新するとともに、パスワード発行装置６００から、上記画像ページにアクセスするために必要なパスワードを取得して、そのパスワードをＥ−ｍａｉｌにより携帯端末装置２００へと送信し、ユーザは、Ｅ−ｍａｉｌによりパスワードを取得して、そのパスワードを用いて監視対象１００の画像を確認することができるので、画像ページにアクセスするためのパスワードを盗用されても、そのパスワードを用いた画像ページの確認は一時的なものとなり、プライバシーが継続的に冒されてしまうことを防止することができる。
【００４２】
（実施の形態２）
つぎに、実施の形態２にかかる監視システムについて説明する。実施の形態２にかかる監視システムは、監視対象の監視端末装置における異常検知をトリガーにして、画像サーバに管理されている監視対象の画像を見るためのパスワードを発行し、発行したパスワードを予め決められた携帯端末装置にメールで通知することを特徴としている。
【００４３】
実施の形態２にかかる監視システムの構成は、図１と同様であるのでここではその説明を省略する。但し、監視端末装置１１０は、上記した検知センサ１２１から異常検知信号が出力されたとき、または上記した非常押ボタン１２３から異常報知信号が出力されたときに、監視管理装置３００に対して異常事態発生を知らせるための通報とともに上記した監視カメラ１２５で撮像された異常発生時の画像を送信する。
【００４４】
以下に、実施の形態２にかかる監視システムの動作について説明する。図３は、実施の形態２にかかる監視システムの動作を示すフローチャートである。まず、監視対象１００に配置された監視端末装置１１０が、検知センサ１２１や非常押ボタン１２３によって異常を検知すると（ステップＳ６０１）、監視端末装置１１０は、少なくとも異常を検知したときに監視カメラ１２５から入力している画像データを監視管理装置３００に送信する（ステップＳ６０２）。そして、監視管理装置３００は、実施の形態１において説明したように、取得した画像データから画像ページを作成する（ステップＳ２０２）。
【００４５】
つづく監視管理装置３００、画像サーバ４００、パスワード発行装置６００および携帯端末装置２００の処理は、実施の形態１と同様であるので、ここでは、図３において、図２と共通する処理について同一符号を付し、それらの説明を省略する。但し、ステップＳ５０１において携帯端末装置２００に送信されるＥ−ｍａｉｌには、パスワードのみならず、異常事態が生じた旨のメッセージを記載する。特に、どのような種類の検知センサによる異常検知なのかといった通報の種類をそのメッセージに含めることで、ユーザが画像を確認する際に、画像のどの場所を着目すればよいかがわかり、状況確認の見落としを防ぐことができる。
【００４６】
なお、実施の形態２においては、携帯端末装置２００へのパスワードの通知ととともに異常事態の発生の通知をおこなっているため、特に携帯端末装置２００が携帯電話であって通信不可能な圏外に位置する場合には、監視対象１００の異常事態に対する処置が遅れてしまう。そこで、そのような処置の遅れを防ぐため、Ｅ−ｍａｉｌサーバ５００は、携帯端末装置２００にＥ−ｍａｉｌを送信後、一定時間しても受信確認ができない場合、他の予め登録された関係者宛にＥ−ｍａｉｌを送信するようにしてもよい。
【００４７】
なお、この場合、先に送信したユーザとその後に送信した他の関係者とが、ともに警備会社等に通報をおこなうなどの二重の処置が施されてしまうのを防ぐため、すでにＥ−ｍａｉｌを送信しているユーザに対しては、他の関係者にＥ−ｍａｉｌを送信したことや異常状態の処置結果(警備会社への出動要請の有無等)を通知するようにしてもよい。
【００４８】
以上に説明したとおり、実施の形態２にかかる監視システムによれば、監視対象１００に配置された監視端末装置１１０から監視管理装置３００に対して異常事態の通報があった際に、監視管理装置３００が、画像サーバ４００により管理される所定のＵＲＬの画像ページを、監視対象１００の最新の画像の画像ページに更新するとともに、パスワード発行装置６００から、上記画像ページにアクセスするために必要なパスワードを取得して、そのパスワードと異常事態の通報とをＥ−ｍａｉｌにより携帯端末装置２００へと送信し、ユーザは、そのＥ−ｍａｉｌにより取得したパスワードを用いて監視対象１００の画像を確認することができるので、監視対象１００に異常が発生した旨を知得することができるとともに、監視対象１００の画像ページにアクセスするためのパスワードを盗用されても、そのパスワードを用いた画像ページの確認は一時的なものとなり、プライバシーが継続的に冒されてしまうことを防止することができる。
【００４９】
（実施の形態３）
つぎに、実施の形態３にかかる監視システムについて説明する。実施の形態３にかかる監視システムは、ユーザが携帯する携帯端末装置からの要請により、画像サーバに管理されている監視対象の画像ページにアクセスするためのＵＲＬを発行し、発行したＵＲＬを予め決められた携帯端末装置にメールで通知することを特徴としている。
【００５０】
実施の形態３にかかる監視システムの構成は、図１と同様であるのでここではその説明を省略する。但し、パスワード発行装置６００は、ＵＲＬ発行装置６００に置換する。
【００５１】
以下に、実施の形態３にかかる監視システムの動作について説明する。図４は、実施の形態３にかかる監視システムの動作を示すフローチャートである。まず、監視対象１００の関係者（住人等）であるユーザが携帯端末装置２００を用いて、監視管理装置３００へとＵＲＬの発行を要求するＵＲＬ発行要求信号を送信する（ステップＳ１１１）。このＵＲＬ発行要求信号には、少なくとも当該携帯端末装置２００を識別するための端末コードが含まれている。
【００５２】
監視管理装置３００は、携帯端末装置２００からＵＲＬ発行要求信号を受けると、当該ＵＲＬ発行要求信号に含まれる端末コードに対応する監視端末装置１１０から、監視カメラ１２５によって撮影された最新の画像を取得する（ステップＳ２１１）。
【００５３】
つづいて、監視管理装置３００は、取得した画像から画像ページを作成し（ステップＳ２１２）、画像サーバ４００に対し、当該監視端末装置１１０のＵＲＬで特定されるＷｅｂ用の画像ページを、新たに作成した画像ページに更新することを要求する画像ページ更新要求信号を送信する（ステップＳ２１３）。なお、この画像ページ更新要求信号には、新たに作成した画像ページの情報も含まれている。画像サーバ４００は、監視管理装置３００から画像ページ更新要求信号を受けると、上記所定のＵＲＬで特定される画像ページを、新たに作成された画像ページに更新する（ステップＳ３１１）。
【００５４】
一方で、監視管理装置３００は、ＵＲＬ発行装置６００に対し、ＵＲＬの発行を要求するＵＲＬ発行要求信号を送信する（ステップＳ２１４）。ＵＲＬ発行装置６００は、監視管理装置３００からＵＲＬ発行要求信号を受けると、ＵＲＬを生成して発行し（ステップＳ４１１）、発行したＵＲＬを監視管理装置３００に送信する（ステップＳ４１２）。
【００５５】
監視管理装置３００は、ＵＲＬ発行装置６００からＵＲＬを受けると、画像サーバ４００に、上記所定のＵＲＬを新たに発行されたＵＲＬに変更するためのＵＲＬ変更要求信号を送信する（ステップＳ２１５）。画像サーバ４００は、監視管理装置３００からＵＲＬ変更要求信号を受けると、上記所定のＵＲＬ、すなわち監視対象１００の画像を表示するための画像ページを特定するＵＲＬを、上記ＵＲＬ変更要求信号に含まれる新たなＵＲＬに変更する（ステップＳ３１２）。
【００５６】
また、監視管理装置３００は、上記新たなＵＲＬを記載したＥ−ｍａｉｌを上記携帯端末装置２００宛に送信する。このＥ−ｍａｉｌの送信は、実際には、監視管理装置３００がＥ−ｍａｉｌサーバ５００に対してＥ−ｍａｉｌ送信要求を依頼し（ステップＳ２１６）、Ｅ−ｍａｉｌサーバ５００によって携帯端末装置２００へと配信される（ステップＳ５１１）。
【００５７】
ユーザは、携帯端末装置２００において、上記Ｅ−ｍａｉｌの受信を確認すると、そのＥ−ｍａｉｌに新たなＵＲＬとして記載されたＵＲＬを入力することで（ステップＳ１１２）、画像サーバ４００に対し、そのＵＲＬで特定される画像ページの配信を要求する画像ページ配信要求信号を送信する（ステップＳ１１３）。
【００５８】
画像サーバ４００は、携帯端末装置２００から、画像ページ配信要求信号を受けると、上記ステップＳ３１１において更新した画像ページを携帯端末装置２００に送信する（ステップＳ３１３）。携帯端末装置２００は、この画像ページを表示する（ステップＳ１１４）。これにより、ユーザは監視対象１００の状況を確認することができる。
【００５９】
なお、セキュリティ性を向上させるため、画像サーバ４００は、携帯端末装置２００が画像ページを受信した後に、ユーザによって画像確認の通知が送信された際、または画像ページを更新してから一定時間経過した際に、その画像ページの画像を消去するようにしてもよい。また、携帯端末装置２００が同じ画像の画像ページを一定の回数受信した際に、その画像ページを消去してもよい。
【００６０】
以上に説明したとおり、実施の形態３にかかる監視システムによれば、携帯端末装置２００が、監視対象１００の画像を画像サーバにアクセスして確認しようとするＵＲＬ入力において、まず、監視管理装置３００に対して、ＵＲＬの発行を要求し、監視管理装置３００は、この要求に対して、画像サーバ４００が管理する所定のＵＲＬの画像ページを、監視対象１００の最新の画像の画像ページに更新するとともに、ＵＲＬ発行装置６００から、上記画像ページを特定するＵＲＬを取得して、そのＵＲＬによって上記画像ページが特定されるようにＵＲＬを変更した後、そのＵＲＬをＥ−ｍａｉｌにより携帯端末装置２００へと送信し、ユーザは、Ｅ−ｍａｉｌにより新しいＵＲＬを取得して、そのＵＲＬを用いて監視対象１００の画像を確認することができるので、画像ページにアクセスするためのＵＲＬが知られても、そのＵＲＬによってアクセスされる画像ページの確認は一時的なものとなり、プライバシーが継続的に冒されてしまうことを防止することができる。
【００６１】
（実施の形態４）
つぎに、実施の形態４にかかる監視システムについて説明する。実施の形態４にかかる監視システムは、監視対象の監視端末装置における異常検知をトリガーにして、画像サーバに管理されている監視対象の画像を見るためのＵＲＬを発行し、発行したＵＲＬを予め決められた携帯端末装置にメールで通知することを特徴としている。
【００６２】
実施の形態４にかかる監視システムの構成は、図１と同様であるのでここではその説明を省略する。但し、監視端末装置１１０は、上記した検知センサ１２１から異常検知信号が出力されたとき、または上記した非常押ボタン１２３から異常報知信号が出力されたときに、監視管理装置３００に対して異常事態発生を知らせるための通報とともに上記した監視カメラ１２５で撮像された異常発生時の画像を送信する。また、パスワード発行装置６００は、ＵＲＬ発行装置６００に置換する。
【００６３】
以下に、実施の形態４にかかる監視システムの動作について説明する。図５は、実施の形態４にかかる監視システムの動作を示すフローチャートである。まず、監視対象１００に配置された監視端末装置１１０が、検知センサ１２１や非常押ボタン１２３によって異常を検知すると（ステップＳ６０１）、監視端末装置１１０は、少なくとも異常を検知したときに監視カメラ１２５から入力している画像データを監視管理装置３００に送信する（ステップＳ６０２）。そして、監視管理装置３００は、実施の形態３において説明したように、取得した画像データから画像ページを作成する（ステップＳ２１２）。
【００６４】
つづく監視管理装置３００、画像サーバ４００、ＵＲＬ発行装置６００および携帯端末装置２００の処理は、実施の形態３と同様であるので、ここでは、図３において、図２と共通する処理について同一符号を付し、それらの説明を省略する。但し、ステップＳ５１１において携帯端末装置２００に送信されるＥ−ｍａｉｌには、新しいＵＲＬのみならず、異常事態が生じた旨のメッセージを記載する。特に、どのような種類の検知センサによる異常検知なのかといった通報の種類をそのメッセージに含めることで、ユーザが画像を確認する際に、画像のどの場所を着目すればよいかがわかり、状況確認の見落としを防ぐことができる。
【００６５】
なお、実施の形態４においては、携帯端末装置２００への新たなＵＲＬの通知ととともに異常事態の発生の通知をおこなっているため、特に携帯端末装置２００が携帯電話であって通信不可能な圏外に位置する場合には、監視対象１００の異常事態に対する処置が遅れてしまうが、その場合の対処方法は、実施の形態２において説明したとおりである。
【００６６】
以上に説明したとおり、実施の形態４にかかる監視システムによれば、監視対象１００に配置された監視端末装置１１０から監視管理装置３００に対して異常事態の通報があった際に、監視管理装置３００が、画像サーバ４００により管理される所定のＵＲＬの画像ページを、監視対象１００の最新の画像の画像ページに更新するとともに、ＵＲＬ発行装置６００から、上記画像ページにアクセスするために必要な新たなＵＲＬを取得して、そのＵＲＬによって上記画像ページが特定されるようにＵＲＬを変更した後、新たなＵＲＬと異常事態の通報とをＥ−ｍａｉｌにより携帯端末装置２００へと送信し、ユーザは、そのＥ−ｍａｉｌによりＵＲＬを取得して、新たなＵＲＬを用いて監視対象１００の画像を確認することができるので、監視対象１００に異常が発生した旨を知得することができるとともに、監視対象１００の画像ページにアクセスするためのＵＲＬを盗用されても、そのＵＲＬを用いた画像ページの確認は一時的なものとなり、プライバシーが継続的に冒されてしまうことを防止することができる。
【００６７】
以上に説明した実施の形態１〜４においては、監視システムの構成を、図１に示すように、携帯端末装置２００および監視端末装置１１０と監視管理装置３００との間がインターネットを経由しない通信回線によって接続され、画像サーバ４００およびＥ−ｍａｉｌサーバ５００が直接に監視管理装置３００に接続されるとしたが、これらの接続をインターネットを経由しておこなうこともできる。
【００６８】
例えば、図６に示すように、監視管理装置３００と監視端末装置１１０をインターネットに接続可能な構成とし、携帯端末装置２００から監視管理装置３００へのパスワード発行要求またはＵＲＬ発行要求と、監視端末装置１１０から監視管理装置３００への通報や画像データの送信とをインターネット８０を介しておこなうこともできる。この場合、監視管理装置３００と画像サーバ４００およびＥ−ｍａｉｌサーバ５００との間の通信もインターネット８０を介しておこなうことができる。
【００６９】
また、実施の形態１〜４においては、図１に示すように、監視管理装置３００と監視端末装置１１０とは別装置であるとしたが、図７に示すように、監視管理装置３００の機能を監視端末装置１１０上で実現し、監視端末装置１１０が、パスワード発行装置（またはＵＲＬ発行装置）６００と直接に通信をおこなってもよい。よって、この場合、画像ページの作成は、監視端末装置１１０がおこなうことになる。
【００７０】
また、実施の形態１〜４においては、監視管理装置３００とパスワード発行装置（またはＵＲＬ発行装置）６００とを別装置としたが、パスワード発行装置（またはＵＲＬ発行装置）６００の機能を監視管理装置３００上で実現してもよい。
【００７１】
なお、実施の形態１〜４においては、監視管理装置３００は、監視端末装置１１０から画像データを取得し、この画像データに基づいて画像ページを作成し画像サーバに送信するようにしているが、監視区域の警備状態（警備中であるか警備解除中であるか）や保安状態（窓や扉の開閉状態、異常状態の有無、設備機器の故障等）に関する情報を取得し、これらの情報をもとに画像ページを作成するようにしてもよい。この場合、これらの情報は文字や記号あるいは図により表示される。
【００７２】
また、実施の形態１および２に記載した監視システムでは、パスワードのみを変更するようにしており、実施の形態３および４に記載した監視システムでは、ＵＲＬのみを変更するようにしているが、両者を組み合せることで、より安全性を向上させることができる。
【００７３】
ただし、住人等が上記携帯端末装置２００を紛失し、悪意の第三者にこの携帯端末装置２００がわたってしまった場合、この携帯端末装置２００を用いて第三者が監視領域の画像ページをいつでも盗み見ることができてしまうという問題がある。そこで、上記実施の形態１〜４において、上記携帯端末装置２００は、住人等の正規の所有者により予め決められているパスワードが操作部２１０から入力した場合にのみパスワードあるいはＵＲＬの発行要求や画像ページの配信要求をおこなうことができるようにしてもよい。これにより、さらに安全性を向上させることができる。
【００７４】
【発明の効果】
以上、説明したとおり、請求項１の発明によれば、携帯端末装置が、監視領域の画像を画像サーバ装置にアクセスして確認しようとする際、監視管理装置に対して、パスワードの発行を要求し、監視管理装置が、この要求に対して、画像サーバ装置において管理される所定のアドレスの画像ページを、監視領域の最新の画像の画像ページに更新するとともに、上記画像ページにアクセスするためのユーザ認証に必要なパスワードを発行して携帯端末装置に送信するので、ユーザは、必要に応じてそのパスワードを用いて監視領域の画像を確認することができ、画像ページにアクセスするためのパスワードを盗用されても、そのパスワードを用いた画像ページの確認は一時的なものとなり、悪意の第三者による画像ページの継続的な盗み見を防止することが可能になるという効果を奏する。
【００７６】
また、請求項２の発明によれば、監視管理装置が、画像ページにアクセスするためのユーザ認証に必要なパスワードを発行して、そのパスワードを電子メールにより携帯端末装置に送信するので、ユーザは、電子メールによりパスワードを取得して、そのパスワードを用いて監視領域の画像を確認することができ、既存の電子メールシステムを利用して安価に監視システムを構築することが可能になるという効果を奏する。
【図面の簡単な説明】
【図１】実施の形態１にかかる監視システムの概略構成を示すブロック図である。
【図２】実施の形態１にかかる監視システムの動作を示すフローチャートである。
【図３】実施の形態２にかかる監視システムの動作を示すフローチャートである。
【図４】実施の形態３にかかる監視システムの動作を示すフローチャートである。
【図５】実施の形態４にかかる監視システムの動作を示すフローチャートである。
【図６】実施の形態１〜４にかかる監視システムの他の概略構成を示すブロック図である。
【図７】実施の形態１〜４にかかる監視システムの他の概略構成を示すブロック図である。
【符号の説明】
８０  インターネット
１００  監視対象
１１０  監視端末装置
１２１  検知センサ
１２３  非常押ボタン
１２５  監視カメラ
１２７  設定部
２００  携帯端末装置
２１０  通信部
２２２  操作部
２２４  通話部
２２６  表示部
３００  監視管理装置
４００  画像サーバ
５００  Ｅ−ｍａｉｌサーバ
６００  パスワード発行装置
【図１】
0004564180.tif 000002
【図２】
0004564180.tif 000003
【図３】
0004564180.tif 000004
【図４】
0004564180.tif 000005
【図５】
0004564180.tif 000006
【図６】
0004564180.tif 000007
【図７】
0004564180.tif 000008